(57)【要約】      （修正有）【課題】複数の、且つ多様な形状のスプレーを安全に保温するシステムを提供する。特に、エアゾール式のスプレーの保温に適し、また、塗装用スプレーの保温にさらに適したシステムを提供する。【解決手段】スプレー用保温器は、ヒータを備えた帯状の保温帯１１と、温度センサーと、温度センサーが検知する温度に基づきヒータを制御する制御回路とを備えたものであり、また、スプレー用保温システムは、このスプレー用保温器と、保温箱２とを備えたものである。【選択図】図２
0003196941.tif 000002
【実用新案登録請求の範囲】
【請求項１】
ヒータを備えた帯状の保温帯と、
温度センサーと、
上記温度センサーが検知する温度に基づき上記ヒータを制御する制御回路と
を備えたスプレー用保温器。
【請求項２】
請求項１に記載のスプレー用保温器と、
保温箱と
を備えたスプレー用保温システム。
【請求項３】
エアゾール式スプレーを保温するためのスプレー用保温システムであって、
上記スプレー用保温システム内の温度を常温から４０℃の範囲で制御する
ことを特徴とする請求項２に記載のスプレー用保温システム。
【請求項４】
塗装用スプレーを保温するスプレー用保温システムである
ことを特徴とする請求項３に記載のスプレー用保温システム。
【考案の詳細な説明】
【技術分野】
【０００１】
本考案は、スプレーを使用に適した温度に保温するためのスプレー用保温器、およびそれを用いたスプレー用保温システムに関するものであり、特に、エアゾール式スプレーの保温に適したものである。
【背景技術】
【０００２】
液状物質を噴霧する目的で様々な種類のスプレーが用いられている。その中でも、高圧で液状物質を噴霧するためのスプレーとして、エアゾール式のスプレーが知られている。エアゾール式のスプレーは、液化ガスあるいは圧縮ガスと、使用目的とする液体を弁を持つ容器に封入し、ガスの力によって使用目的の液体を弁から噴霧させる構造にしたものである。
【０００３】
エアゾール式のスプレーは、防虫剤、消毒剤、ヘアースプレー、エアダスター等の幅広い用途に用いられている。塗装用の塗料も、エアゾール式のスプレータイプが広く用いられている。ハケや塗料タンクなどの用具を用意する必要がなく、水や薄め液などで希釈する必要もないため、手軽に塗装することができるという大きなメリットを有するためである。また、ハケなどでは塗りづらい場所や複雑な３次元形状を持つ物であっても、ムラなく塗装することができる。
【０００４】
しかし、エアゾール式のスプレーは、温度により液化ガスあるいは圧縮ガスの圧力が変化するため、噴霧圧が大きく変化するという課題がある。例えば、冬季において屋外で塗装作業をする場合、噴霧圧は大きく低下し、そのために塗りムラが生じてしまう。気温が５℃以下になると、２５℃程度の常温で使用する際の噴霧圧に比べて、３分の１程度まで噴霧圧が低下するためである。
【０００５】
このような問題を解決するための手段は、残念ながら見出されていないのが現状である。ただし、エアゾール式のスプレーではなく、ハンドポンプ式のスプレーに関しては、目的が異なるものの、保温手段が提案されている。例えば、本体と、この本体に上方を開口して設けられる収納凹部と、水容器にハンドポンプ部を取り付けて構成されると共に前記収納凹部に挿脱自在に収納されるスプレー容器と、前記収納凹部の底部又は側壁部に設けられて前記スプレー容器を加温するヒータとを有し、該ヒータによって、前記水容器にハンドポンプ部が取り付けられた状態で前記スプレー容器内の水が３０〜５０℃の範囲内で保温されるように構成したことを特徴とする温スプレー装置が提案されている。（例えば、特許文献１）。
【先行技術文献】
【特許文献】
【０００６】
【特許文献１】特許第３８１３７８４号
【考案の概要】
【考案が解決しようとする課題】
【０００７】
上述した特許文献１に開示されている温スプレー装置は、乳幼児の臀部を温水で洗浄することを目的としたものであり、したがって、ハンドポンプ式のスプレーが対象であり、エアゾール式のスプレーには適用が困難である。エアゾール式のスプレーは内部に高圧ガスが充填されているため、４０℃以上に加熱すると、爆発する惧れがある。また、高圧ガスとして、ＬＰＧやＤＭＥといった可燃性の高圧ガスが使用されていることが多く、引火の惧れもある。したがって、特許文献１に開示されている温スプレー装置のように、底部を局所的に温めることは危険であり、安全上、大きな問題がある。
【０００８】
また、塗装等の用途においては、多くの異なる色の塗料、およびラッカー等を同時に使用する。ひとつのスプレーしか保温できない特許文献１に開示された装置の場合、複数のスプレーを保温するために同数の保温装置が必要であり、コスト的に高価になるという課題もある。さらに、市販のスプレーを用いる場合、スプレーの大きさや形状はまちまちであり、それにあった形状の保温装置を用意することは事実上不可能である。
【課題を解決するための手段】
【０００９】
本考案の請求項１に係るスプレー用保温器は、ヒータを備えた帯状の保温帯と、温度センサーと、上記温度センサーが検知する温度に基づき上記ヒータを制御する制御回路とを備えたものである。
【００１０】
本考案の請求項２に係るスプレー用保温システムは、請求項１に記載のスプレー用保温器と、保温箱とを備えたものである。
【００１１】
本考案の請求項３に係るスプレー用保温システムは、エアゾール式スプレーを保温するためのスプレー用保温システムであって、上記スプレー用保温システム内の温度を常温から４０℃の範囲で制御することを特徴とする。
【００１２】
本考案の請求項４に係るスプレー用保温システムは、塗装用スプレーを保温するスプレー用保温システムであることを特徴とする。
【考案の効果】
【００１３】
本考案に係るスプレー用保温器は、上記のように構成されているので、スプレーを全体に均一に温めることが可能であり、局所的に高温になることはなく、したがって、爆発や引火の心配が無い。
【００１４】
また、複数のスプレーを同時に保温することが可能であり、さらに、スプレーの形状にかかわらず保温することができるので、市販の様々な形状のスプレーに対応できる。
【図面の簡単な説明】
【００１５】
【図１】本考案に係るスプレー用保温器の正面図である。
【図２】本考案に係るスプレー用保温システムの斜視図である。
【図３】本考案に係るスプレー用保温システムに複数のスプレーを保管する方法を示す図である。
【図４】本考案に係るスプレー用保温システム内の温度の時間変化を表す図である。
【考案を実施するための形態】
【００１６】
実施の形態．
本考案に係るスプレー用保温器、およびスプレー用保温システムの構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００１７】
本考案に係るスプレー用保温器の正面図を図１に示す。
スプレー用保温器１は、ヒータを備えた帯状の保温帯１１と、温度センサーと、温度センサーが検知する温度に基づき上記ヒータを制御する制御回路と、電源コード１２とを備えている。
【００１８】
保温帯１１は、例えば、図１において、横が２０ｃｍ、縦が１ｍ程度の帯状体であり、内部にヒータが設けられている。この帯状体は比較的柔らかな材質で構成され、全体として屈曲可能である。
【００１９】
また、保温帯１１の内部に、温度センサーと、温度センサーが検知する温度に基づき上記ヒータを制御する制御回路も設けられており、保温帯１１の近傍の温度を所望の温度範囲に制御することができる。なお、温度センサーと制御回路とは、必ずしも保温帯１１の内部に設けられる必要は無く、保温帯の外部に設けても良い。
【００２０】
また、上記ヒータ、温度センサーおよび制御回路を駆動するための電源が別途設けられる。本実施の形態においては、電源としてはＡＣ電源を使用し、そのための電源コード１２を設けている。電源としては、乾電池、充電池、あるいは太陽電池等を使用しても良い。
【００２１】
次に、本考案に係るスプレー用保温システムの斜視図を図２に示す。
スプレー用保温システムは、スプレー用保温器１を保温箱２の内部に収納したものである。保温箱２は断熱性の高い材料からなる箱であればどのような物であっても良く、例えば、ハイキングやキャンプに行く際に飲料等を保管する保温・保冷用ボックスでも良い。
【００２２】
このスプレー用保温システムに、複数のスプレーを保管する方法を図３を用いて説明する。
図３（ａ）は６本のスプレー３を、図３（ｂ）は９本のスプレー３を保管する際の一例であり、保温箱２の上方より見た図である。スプレー用保温器１の保温帯１１が屈曲可能な帯状体であることを利用し、多くのスプレーを同時に保温することが可能である。また、スプレーの形状が異なったとしても、保温帯１１が屈曲可能であるので、問題なく保温することができる。
【００２３】
図３（ａ）あるいは、図３（ｂ）の収納状態において、保温箱２内の温度の時間変化を測定した結果を図４に示す。横軸は時間であり、縦軸は温度である。また、実線は保温箱２の中央付近の温度であり、点線は保温箱２の角部付近の温度である。外気温は約５℃である。
【００２４】
このように、保温箱２内の温度は、中央と角部とで５℃以内の差しかなく、全体がほぼ均一に加温されている。そして、常温より少し高い３０℃付近に安定に温度が保たれている。
なお、保温箱２に直射日光が突然差込む等の理由で、急激に保温箱２内部の温度が上昇する場合には、急激な温度上昇を検知し、直ちにヒータを切ることで、保温箱２内部の温度が４０℃以上に上昇することが無いよう、安全機能が設けられている。
【００２５】
本考案に係るスプレー用保温器、およびスプレー用保温システムは上記のように構成されているので、以下に示す数多くの利点を有する。
第一に、スプレーを全体に均一に温めることが可能であり、局所的に高温になることはなく、したがって、爆発や引火の心配が無い。
【００２６】
第二に、複数のスプレーを同時に保温することが可能であり、複数のスプレーを保温する装置としてコストが低廉である。さらに、スプレーの形状にかかわらず保温することができるので、市販の様々な形状のスプレーに対応できる。
【００２７】
第三に、複数のスプレーを保管する保管ボックスとして機能し、使用する際には、そのまま使用する現場まで持ち運ぶことができる。
【００２８】
以上のような特長を有することで、特に、塗料のスプレーの保温に最適である。塗装は屋外で行う場合が多く、冬場の寒冷時にはスプレー内圧が大きく低下して塗りムラが生じることから、保温が必要となるためである。そして、塗装の際には様々な色や種類のスプレーを同時に使用することから、複数の、且つ形状が異なるスプレーを保管できる本考案に係るスプレー用保温システムは、まさに最適なものである。
【符号の説明】
【００２９】
１  スプレー用保温器
２  保温箱
１１  保温帯
【図１】
0003196941.tif 000003
【図２】
0003196941.tif 000004
【図３】
0003196941.tif 000005
【図４】
0003196941.tif 000006